(57)【要約】  【課題】客及び店舗にとっても使い勝手の良い表示具を提供する。  【手段】ベース４に支持バー５を溶接してなるフック１に使用される表示具であり、フック１に着脱自在に取付く第１支持部材６と、この第１支持部材６に着脱自在に取付く第２支持部材７と、第２支持部材７に着脱自在に取付くカードホルダー８とを備えている。第２支持部材７はアーム部２１を備えており、その先端に設けた軸受け部２３に、カードホルダー８の裏面に形成した支軸３０を嵌め込んでいる。カードホルダー８は支軸３０を中心にして跳ね上げ回動自在であり、かつ、カードホルダー８は軸受け部２３の弾性に抗しての旋回作用によって水平姿勢を段階的に変更し得る。【選択図】          図１
2005192586.tif 000002
【特許請求の範囲】
【請求項１】
陳列した商品の上方に配置して価格等を表示する表示具であって、
カード類が保持されるカードホルダーを、支持部材に、水平回動及び上下回動可能に取り付けている、
商品陳列棚用表示具。
【請求項２】
前記支持部材は、商品が吊り下げられる支持バーを備えたフックに取り付けられるようになっている、
請求項１に記載した商品陳列棚用表示具。
【請求項３】
商品が吊り下げられる支持バーを備えたフックに着脱自在に取付けられる支持部材と、この支持部材に少なくとも水平姿勢変更可能に取付けられたカードホルダーとを備えている、
商品陳列棚用表示具。
【発明の詳細な説明】
【技術分野】
【０００１】
本願発明は、陳列した商品の上方に配置して価格やバーコード等の各種情報を表示する表示具に関するものである。
【背景技術】
【０００２】
スーパーマーケットやコンビニエンスストア、ドラッグストア，ホームセンター等の多くの小売り店では、商品を陳列するための方法として、棚本体に装着したフックに商品を吊り下げることが多用されている。
【０００３】
この商品吊り下げ用のフックは、棚本体に水平状に設けた角筒状の支持バーに取り付けられるタイプと、ネット状の棚本体に取付けられるタイプとがあり、また、商品が吊り下げられる支持バーだけが前向きに突出しているシングルフックと呼ばれているタイプと、支持バーの上方にカードホルダーを取り付けるための補助バーが配置されている十手フックと呼ばれているタイプとがある。
【０００４】
ところで、カードホルダーはある程度の横幅が必要である一方、例えば歯磨きのように幅寸法が僅かしかない商品があり、この場合、カードホルダーを密接した状態で左右に配置しても、隣り合った商品の間には空間が空いて陳列効率が低下してしまう。また、店舗で客の流れが一定していることがあり、この場合、カードホルダーを客に的確に視認せしめると購買意欲を高めることができる。そこで、カードホルダーの水平姿勢を変更可能とすることが提案されている。
【０００５】
その例として、特許文献１では、十手フックにおいて補助バーの先端が上向き垂直部を有するＬ字状に形成されている点を利用して、カードホルダーを補助バーの垂直部に嵌め込むと共に、カードホルダーに、補助バーの水平部に嵌合する溝を円周方向に沿って複数形成することにより、カードホルダーを上昇させると水平姿勢を変更できるようにすることが開示されている。
【０００６】
また、特許文献２には、カードホルダーに、補助バーの垂直部に嵌まる上保持部と、補助バーの下面に当接する下支持部とを分離した状態で形成することにより、カードホルダーを水平旋回可能と成し、更に、下支持部に、補助バーの先端部が嵌まる溝を旋回中心の回りに複数個形成した構成を提案した。
【特許文献１】実用新案登録第２５４１４５５号公報
【特許文献２】特開平１１−２０６５２４号公報
【発明の開示】
【発明が解決しようとする課題】
【０００７】
特許文献１の構成では、カードホルダーの水平姿勢を変えるに際しては一々カードホルダーを上昇動させなければならず、このためカードホルダーの姿勢変更が厄介であるという問題があった。また、カードホルダーにこれを水平旋回させるような外力が掛かった場合、カードホルダーが破損する虞もあった。
【０００８】
他方、特許文献２の構成によると、カードホルダーは一々昇降操作することなく水平姿勢を変更できるため、姿勢変更作業の手間を著しく軽減することができる。また、カードホルダーにこれを水平旋回させるような外力が掛かった場合、カードホルダーが水平旋回することによって外力が緩和又は除去されるため、カードホルダーの破損事故を防止できる利点もある。
【０００９】
本願発明は、特許文献２のように水平姿勢の変更作業の容易性を保持しつつ、更に使い勝手を向上した商品陳列棚用表示具を提供することを課題とするものである。
【課題を解決するための手段】
【００１０】
請求項１の発明は、陳列した商品の上方に配置して価格等を表示する表示具において、カード類が保持されるカードホルダーを、支持部材に、水平回動及び上下回動可能に取り付けている。
【００１１】
請求項２の発明は、請求項１において、前記支持部材は、商品が吊り下げられる支持バーを備えたフックに取り付けられるようになっている。
【００１２】
請求項３の発明に係る表示具は、商品が吊り下げられる支持バーを備えたフックに着脱自在に取付けられる支持部材と、この支持部材に少なくとも水平姿勢変更可能に取付けられたカードホルダーとを備えている。
【発明の効果】
【００１３】
ところで、シングルフックや十手フックと呼ばれているフックの支持バーに商品を吊り下げて陳列する場合、カードホルダーと商品との間に僅かしか間隔が空いていな場合がある。この場合、店員が商品を補充するにおいてカードホルダーが邪魔になったり、客が商品を支持バーから引き抜くにおいて商品がカードホルダーに引っ掛かったりすることがある。また、例えば陳列棚の下段部に配置されるカードホルダーの場合、表示面が垂直状になっていると客が視認しにくいという問題もある。
【００１４】
これに対して請求項１，２のように構成すると、カードホルダーを跳ね上げ回動しておくことにより、商品の補充に際してカードホルダーが商品と干渉することを防止することができるため、商品の補充作業を容易に行うことができる。
【００１５】
また、客が商品を支持バーから抜き外すに際して商品の上端がカードホルダーに接触しても、カードホルダーが逃げ回動することにより、商品をスムースに取り出すことができる。また、カードホルダーの跳ね上げ回動姿勢を保持できるようにしておくことにより、陳列棚の下部に配置したカードホルダーはその表示面が斜め上向きとなるように保持しておくことが可能となり、その結果、客の利便性も向上できる。
【００１６】
ところで、商品吊り下げ方式のフックのうち補助バーを備えていないシングルフックの場合、従来は、プライスカードを棚本体に配置しているが、これでは客が価格等を視認し難いという問題がある。これに対して本願発明の請求項２や請求項３によると、シングルフックであっても、支持部材を支持バーの前端部の上方近傍まで延びる形態とすることにより、カードホルダーを客に見易い状態で配置することができる。
【００１７】
特に、請求項２のように構成すると、シングルフックであっても、カードホルダーは水平姿勢を変更可能であると共に跳ね上げ回動もできるため、商品の出し入れ性容易性を損なうことなくカード類の視認性を格段に向上することができ、客及び店員の両方にとって利便性が高いといえる。
【００１８】
また、従来は、カードホルダーを取付けできる十手フックであっても、カードホルダーを補助バーの先端部の垂直部に差し込む方式が殆どであるためカードホルダーは水平姿勢の変更しかできなかったが、本願発明の請求項２や請求項３では支持部材とカードホルダーとの構造は自由に設定できるため、十手フックに取付けるカードホルダーであっても、跳ね上げ回動し得る構造を簡単に実現できるのである。
【発明を実施するための最良の形態】
【００１９】
次に、本願発明の実施形態を図面に基づいて説明する。
【００２０】
(1).第１実施形態（図１〜図８）
図１〜図８では第１実施形態を示している。本実施形態はシングルフックと俗称されているフックに取付けて使用される表示具に適用したもので、図１のうち（Ａ）はシングルフック１と表示装置２との分離斜視図である。図２のうち（Ａ）は平面図、（Ｂ）は側面図、図３のうち（Ａ）は図２の IIIA-IIIA視断面図、（Ｂ）は図２の IIIB-IIIB視断面図、図４のうち（Ａ）は図３のIVA-IVA 視断面図、（Ｂ）は図３のIVB-IVB 視断面図である。
【００２１】
シングルフック１は、棚本体を構成する角筒状の受け桟３に上方から着脱自在に嵌まるベース（ハンガー）４と、ベース４の上面に溶接されて手前側に延びる支持バー５とから成っている。支持バー５の先端部は水平に対して３０°程度の角度で上向きに傾斜している。ベース４は板金製であり、支持バー５は金属線材製である。
【００２２】
表示装置２は、支持バー５の基部に着脱自在に取付く第１支持部材６と、この第１支持部材６に取付く第２支持部材７と、カードホルダー８とを備えている。本実施形態では、第２支持部材７とカードホルダー８とで請求項に記載した表示具が構成されている。
【００２３】
第１支持部材６はＡＢＳ樹脂やナイロン樹脂等の硬質又は比較的硬質の樹脂からなっており、支持バー５のベース４の外周面に重なるように、前板９と天板１０と背板１１とを備えた側面視で下向き開口コ字状に形成されている。天板１０には、シングルフック１の支持バー５を上方から覆うトンネル部１２が形成されている。
【００２４】
第１支持部材６における前板９は、支持バー５が嵌まり得る間隔の上部開口１３を介して左右に分離しており、かつ、上部開口１３の下方には、全体として下向き開口Ｕ字状の幅広開口１４が連続している。従って、前板９は正面視で二股状に形成されている。また、第１支持部材６における前板９には、上部開口１３を挟むようにして平面視Ｌ形の係止部１５が一体に形成されており、このため、係止部１５と前板９とにより、左右外側に開口した蟻溝１６が形成されている。
【００２５】
左右係止部１５の相対向した部分には、幅広開口１４の上部の円弧面と同心状のくびれ部１７が形成されている。このくびれ部１７は、支持バー５に弾性に抗しての変形によって嵌合する寸法に設定している。背板１１の下端部内面には、ベース４の下端縁に当たる突条１８を形成している。
【００２６】
第２支持部材７は、第１支持部材６の蟻溝１６に嵌まり込むように正面視で二股状に形成された基板２０と、基板２０の上部から手前に向けて延びるアーム部２１と、基板２０に連設しつつアーム部２１の付け根部から下方に延びるストッパー部２２と、アーム部２１の先端に設けた軸受け部２３とを備えている。
【００２７】
ストッパー部２２は、シングルフック１の支持バー５に上方から当たるようになっている。また、基板２０には、その下向き開口溝を挟んだ内側縁に上下の円弧状切欠き２４，２５が形成されている。上部の切欠き２４は、ストッパー部２２が当たった状態での支持バー５と同心状に形成されており、下部の切欠きは、第１支持部材６のくびれ部１７と同心状に形成されている。アーム部２１は断面逆Ｔ字状に形成しているが、断面形状は四角形や円形など自由に選択できる。
【００２８】
次に、図５及び図６も参照してカードホルダー８と軸受け部２３との関係を説明する。図５のうち（Ａ）はアーム部２１とカードホルダー８との分離側面図、（Ｂ）はカードホルダー８の背面図、（Ｃ）はカードホルダー８の平面図、（Ｄ）（Ｅ）はカードホルダー８を組み込まれた状態での表示具の前部の縦断側面図、図６のうち（Ａ）は図５（Ａ）のVIA -VIA視図、（Ｂ）は（Ａ）にカードホルダー８を嵌め込んだ状態の図である。
【００２９】
第２支持部材７の軸受け部２３は側面視で二股状に形成されている。他方、カードホルダー８は透明な樹脂製であり、前板２５と後板２６とをその下端で連設して折り返し状に形成しており、前後板２５，２６の間の隙間にカード類Ｃを挟み込むように設定している。
【００３０】
後板２６には、カード類Ｃを前板２５に押さえるための突起２７と、カード類Ｃを取り出すに際して指を掛けるための切欠き２８とを形成している。突起２７の存在により、カード類Ｃを挿入し易いにも拘らず、ずれ不能に保持できる。なお、切欠き２８は図５（Ｂ）に一点鎖線で示すように上側の左右コーナー部に形成しても良い。
【００３１】
カードホルダー８における後板２６には、ブラケット部２９を介して水平状の支軸３０を一体に形成しており、この支軸３０を第２支持部材７の軸受け部２３に嵌め込んでいる。第２支持部材７の軸受け部２３は平面視で略円形に形成されており、その中空部は、支軸３０を水平旋回させ得るような奥行き寸法に設定されており、かつ、平面視で支軸３０がアーム部２１と直交する姿勢と、平面視で支軸３０が傾斜した姿勢となるようにする姿勢保持手段の一例として、支軸３０と嵌合する浅い係合溝３１を形成している。
【００３２】
本実施形態では、支軸３０が平面視で左右両側に４５°の角度を以ってアーム部２１と傾斜するように設定しているが、傾斜角度は任意に設定できる。３段階の切り換えに限らず、左右両側に複数段階ずつ（例えば３０°と４５°）姿勢を変更できるようにすることも可能である。軸受け部２３への支軸３０の嵌め込みは、軸受け部２３の弾性に抗して嵌め込むが、支軸３０が係合溝３１に嵌まっている状態では必ずしも軸受け部２３に弾性復元力が作用している必要はない。
【００３３】
カードホルダー８は、支軸３０を各係合溝３１に係合させた状態で上方に跳ね上げ回動させることができる。また、カードホルダー８が鉛直状の姿勢のとき、カードホルダー８の裏面に軸受け部２３の下部が当たるように設定しており、このためカードホルダー８は鉛直状の姿勢に保持される。
【００３４】
更に、図５（Ｄ）に示すように、カードホルダー８を大きく跳ね上げると、カードホルダー８の重心が支軸３０の中心よりも後方に移動するように設定している。このため、例えば商品Ｇを補充する場合に便利である。
【００３５】
支軸３０と軸受け部２３との関係では、支軸３０と軸受け部２３との間に常に摩擦抵抗が生じるように設定しておいて、カードホルダー８を任意の跳ね上げ角度に保持できるようにしても良いし、鉛直姿勢と跳ね上げ姿勢との２つの姿勢のみを保持し得るように設定しても良い。或いは、跳ね上げたあと指を離すと自重で常に鉛直姿勢に戻るように設定することも可能である。
【００３６】
本実施形態のように第２支持部材７及びカードホルダー８をそれぞれ樹脂で一体成形すると、組立の手間を抑制できる利点がある。また、支持部材は第１支持部材６と第２支持部材７とに分離することなく単一としこれをフック１の基部に取付けることも可能であるが、本実施形態のように２つの支持部材６，７で構成すると、第１支持部材６の係止部１５が第２支持部材７の基板で左右両側から挟まれた状態になるため、両支持部材６，７の取付け強度が格段に向上し、結果として、カードホルダー８の取付け安定性も格段に向上する。
【００３７】
なお、第２支持部材７を射出成形法によって製造するにおいて、軸受け部２３の中空部はスライド型を利用して成形せざるを得ないが、この場合、係合溝３１を形成するためには製品の弾性変形を利用して型抜きするいわゆる無理抜きをせねばならず、そして、型抜きの確実性の点からは、軸受け部２３の中空部の上面のみに係合溝３１を形成して、中空部の下面はフラットに形成しておくのが好適であった。もちろん、金型の構造が許せば、中空部の上下両面に係合溝３１を形成して差し支えない。
【００３８】
ところで、図７に示すように、ベース４の前板９から支持バー５を突設したシングルフック１が存在している。本願の第１実施形態に係る表示装置２はこのタイプのフックにも取付けることができる。図８（Ａ）はこのタイプのフック１に表示装置２を取付けた状態での正面図、（Ｂ）は（Ａ）のＢ−Ｂ視断面図である。
【００３９】
この使用例では、第１支持部材６における係止部１５のくびれ部１７で支持バー５を挟持するように設定している。また、ベース４のうち支持バー５の付け根箇所は外向きに膨れているが、第１支持部材６の前板９に幅広開口１４を形成しているため、前板９とベース４とが干渉することはない。
【００４０】
いずれの使用例でも、第１支持部材６はベース４にきっちりと嵌まってずれ不能に保持されているため、第２支持部材７がガタ付くこともない。なお、図７のタイプのフック１にも使用できるようにするために第１支持バー５のくびれ部１７が必須という訳ではない。
【００４１】
(2).第２実施形態（図９）
図９では、第２支持部材７における軸受け部２３の変形例である第２実施形態を示している。実施形態では、軸受け部２３の付け根箇所に上向き及び左右横向きの盗み部３３を形成している。このように形成すると、カードホルダー８を水平旋回及び跳ね上げ回動させるに際しての支軸３０や後板２６との干渉をなるべく回避して、コンパクトでありながらカードホルダー８を大きく回動させ得る利点がある。
【００４２】
(3).他の実施形態（図10〜図11）
図１０（Ａ）〜（Ｃ）では第２実施形態を示している。（Ａ）は分離側面図、（Ｂ）は（Ａ）のＢ−Ｂ視断面図、（Ｃ）は（Ａ）のＣ−Ｃ視断面図である。この実施形態は、補助バー３５を備えている俗称十手フックにおいて、補助バー３５の先端に表示具を取付けようにしたものであり、支持部材３６とカードホルダー８とを備えている。支持部材３６は、第１実施形態と同じ軸受け部２３と、補助バー３５の先端部に差し込み装着される挟持部３７とを備えている。
【００４３】
挟持部３７は、補助バー３５の先端部に前方から嵌め込み得るように上向き開口溝３８を形成している。挟持部３７のうち補助バー３５の水平部を挟む部分は、補助バー３５から脱落しないように、上部は補助バー３５の外形よりも小さい寸法で鍵穴状に形成されている。
【００４４】
十手フックの先端部の曲がり部３５ａは、上向きに直立したものと傾斜したものとが存在しているが、本願実施形態では、曲がり部３５ａが挟持部３７に嵌まっているため支持部材３６が倒れ回転することはない。
【００４５】
十手フックにおける補助バー３５はストレート状になっているものもある。この場合は、図１０（Ｄ）に第４実施形態として示すように、支持部材３６を補助バー３５の先端部に強制嵌合することにより、支持部材３６を回転不能に保持したら良い。
【００４６】
また、図１０（Ｅ）に第５実施形態として示すように、補助バー３５の先端部に水平状等の凹所３９を形成する一方、支持部材３６に、凹所３９に嵌合する突起４０を形成しても良い。（Ｅ）の場合は、支持部材３６はその弾性に抗しての抜き差しにより、補助バー３５に着脱自在に取付けることができる。
【００４７】
図１１（Ａ）（Ｂ）では第６実施形態を示している。（Ａ）は側面図、（Ｂ）は（Ａ）のＢ−Ｂ平面図である。この実施形態では、支持部材３６に支軸３０を設ける一方、カードホルダー８に軸受け部２３を一体成形している。このように、軸受け部２３と支軸３０とはいずれに形成しても良いのである。なお、この実施形態では、支軸３０を断面角形（例えは８角形）に形成して、カードホルダー８の跳ね上げ姿勢を段階的に保持できるようにしている。カードホルダー８は、本体とは別のカバー８′でカード類Ｃを押さえ保持している。カード類はカードホルダー８に貼着しても良い。
【００４８】
図１１（Ｃ）（Ｄ）では第７実施形態を示している。（Ａ）は一部破断側面図、（Ｂ）は一部破断平面図である。この実施形態では、主支持部材３６′に鉛直状の第１支軸３０ａを形成し、この第１支軸３０ａに中間支持部材４１を水平回動自在に取付け、中間支持部材４１を、カードホルダー８に設けた水平状の第２支軸３０ｂに嵌め込んでいる。この場合は、主支持部材３６′と中間支持部材４１とが請求項に記載した支持部材に相当する。
【００４９】
(4).その他
本願発明は上記の実施形態の他にも様々に具体化できる。例えば、支持部材はフックに取付けることには限らず、棚本体に取付けることも可能である。また、カードホルダーを回動可能に保持する手段は、実施形態のような軸受け部と支軸との組合せに限らない。更に、支軸を設ける場合、必ずしも一体成形する必要はなく、別体のピン類を使用しても良いのである。
【図面の簡単な説明】
【００５０】
【図１】（Ａ）はシングルフックと表示装置２との分離斜視図、（Ｂ）はカードホルダーを背面斜視図である。
【図２】（Ａ）は平面図、（Ｂ）は側面図である。
【図３】（Ａ）は図２の IIIA-IIIA視断面図、（Ｂ）は図２の IIIB-IIIB視断面図である。
【図４】（Ａ）は図３のIVA-IVA 視断面図、（Ｂ）は図３のIVB-IVB 視断面図である。
【図５】表示装置の前部示す図である。
【図６】（Ａ）は図５（Ａ）のVIA -VIA視図、（Ｂ）は（Ａ）にカードホルダー８を嵌め込んだ状態の図である。
【図７】シングルフックの別例を示す図である。
【図８】図７のフックへの使用状態を示す断面図である。
【図９】第２実施形態を示す図である。
【図１０】第３〜第５実施形態を示す図である。
【図１１】第６〜第７実施形態を示す図である。
【符号の説明】
【００５１】
１  フック（シングルフック）
２  表示装置
５  支持バー
６  第１支持部材
７  第２支持部材
８  カードホルダー
２３  軸受け部
３０  支軸
【図１】
2005192586.tif 000003
【図２】
2005192586.tif 000004
【図３】
2005192586.tif 000005
【図４】
2005192586.tif 000006
【図５】
2005192586.tif 000007
【図６】
2005192586.tif 000008
【図７】
2005192586.tif 000009
【図８】
2005192586.tif 000010
【図９】
2005192586.tif 000011
【図１０】
2005192586.tif 000012
【図１１】
2005192586.tif 000013